【手続補正書】
【提出日】平成31年2月28日(2019.2.28)
【手続補正１】
【補正対象書類名】特許請求の範囲
【補正対象項目名】全文
【補正方法】変更
【補正の内容】
【特許請求の範囲】
【請求項１】
プログラム命令を記憶するメモリと、
プロセッサと、を備える拡張可能な通信システムであって、
前記プロセッサは、前記プログラム命令を実行すると、
受信機装置に対して通信すべきサービスタイプまたはサービスモードに対応するメジャーバージョン数を前記受信機装置に信号伝達するためのルートインデックス値を選択し、
前記選択されたルートインデックス値に基づいて、定振幅ゼロ自己相関特性シーケンスを生成し、
前記メジャーバージョン数の範囲内のマイナーバージョン数を前記受信機装置に信号伝達するためのシード値を選択し、
前記選択されたシード値に基づいて、疑似ノイズシーケンスを生成し、
前記疑似ノイズシーケンスにより前記定振幅ゼロ自己相関特性シーケンスを変調し、かつ複合シーケンスを生成し、
前記複合シーケンスを時間領域シーケンスに変換するように構成される、
拡張可能な通信システム。
【請求項２】
前記選択されたルートインデックス値は非素数を含む、請求項１に記載のシステム。
【請求項３】
前記プロセッサは、さらに、線形帰還シフトレジスタを使用して前記疑似ノイズシーケンスを生成するように構成される、請求項１に記載のシステム。
【請求項４】
前記プロセッサは、さらに、線形帰還シフトレジスタの帰還経路内でタップを特定する生成多項式に基づいて前記線形帰還シフトレジスタを操作するように構成される、請求項３に記載のシステム。
【請求項５】
前記プロセッサは、さらに、線形帰還シフトレジスタの帰還経路内でタップを特定する生成多項式に基づいて前記線形帰還シフトレジスタを操作するように構成され、前記生成多項式の特定および前記線形帰還シフトレジスタの初期状態が前記シード値を表す、請求項３に記載のシステム。
【請求項６】
前記時間領域シーケンスは同期信号を含む、請求項１に記載のシステム。
【請求項７】
前記プロセッサは、さらに、シフトされた時間領域シーケンスを獲得するために、前記時間領域シーケンスに循環シフトを適用するように構成され、前記シフトされた時間領域シーケンスは、波形の受信および復号化ができるように構成された制御信号伝達を含む、請求項１に記載のシステム。
【請求項８】
前記疑似ノイズシーケンスにより前記定振幅ゼロ自己相関特性シーケンスを変調するために、前記プロセッサは、さらに、ＤＣ副搬送波を中心に鏡映対称となるように、前記定振幅ゼロ自己相関特性シーケンスと前記疑似ノイズシーケンスとの積を生成するように構成される、請求項１に記載のシステム。
【請求項９】
前記プロセッサは、さらに、シフトされた時間領域シーケンスを獲得するために、前記時間領域シーケンスに循環シフトを適用するように構成される、請求項１に記載のシステム。
【請求項１０】
前記循環シフトは通信情報を表す、請求項９に記載のシステム。
【請求項１１】
前記シフトされた時間領域シーケンスは複数のシンボルのうちの１つのシンボルであり、前記プロセッサは、さらに、前記１つのシンボルの前記循環シフトを、前のシンボルの絶対循環シフトと、前記前のシンボルの前記絶対循環シフトに対する前記１つのシンボルの相対循環シフトとに基づいて生成するように構成される、請求項９に記載のシステム。
【請求項１２】
前記プロセッサは、さらに、前記複数のシンボルの終端を示すために、前記複数のシンボルのうちの最後のシンボルを、前記最後のシンボルの前のシンボルに対して反転させるように構成される、請求項１１に記載のシステム。
【請求項１３】
前記プロセッサは、さらに、前記時間領域シーケンスを複数の受信機装置に放送するように構成され、前記時間領域シーケンスは、前記時間領域シーケンスが後に続く波形を前記複数の受信機装置が識別することを可能にする、請求項１に記載のシステム。
【請求項１４】
受信機装置に対して通信すべきサービスタイプまたはサービスモードに対応するメジャーバージョン数を前記受信機装置に信号伝達するためのルートインデックス値を選択することと、
前記選択されたルートインデックス値に基づいて、定振幅ゼロ自己相関特性シーケンスを生成することと、
前記メジャーバージョン数の範囲内のマイナーバージョン数を前記受信機装置に信号伝達するためのシード値を選択することと、
前記選択されたシード値に基づいて、疑似ノイズシーケンスを生成することと、
前記疑似ノイズシーケンスにより前記定振幅ゼロ自己相関特性シーケンスを変調し、かつ複合シーケンスを生成することと、
前記複合シーケンスを時間領域シーケンスに変換することと、
を含む、拡張可能な通信方法。
【請求項１５】
前記選択されたルートインデックス値は非素数を含む、請求項１４に記載の方法。
【請求項１６】
前記時間領域シーケンスは同期信号を含む、請求項１４に記載の方法。
【請求項１７】
前記変調することは、
ＤＣ副搬送波を中心に鏡映対称である、前記定振幅ゼロ自己相関特性シーケンスと前記疑似ノイズシーケンスとの積を生成することを含む、請求項１４に記載の方法。
【請求項１８】
シフトされた時間領域シーケンスを獲得するために循環シフトを前記時間領域シーケンスに適用することをさらに含む、請求項１４に記載の方法。
【請求項１９】
前記循環シフトは通信情報を表す、請求項１８に記載の方法。
【請求項２０】
波形の受信および復号化ができるように構成された制御信号伝達を前記シフトされた時間領域シーケンスに含めることをさらに含む、請求項１８に記載の方法。
【請求項２１】
前記シフトされた時間領域シーケンスは複数のシンボルのうちの１つのシンボルであり、
前記方法は、
前のシンボルの絶対循環シフトと、前記１つのシンボルの相対循環シフトとに基づいて前記循環シフトを生成することをさらに含む、請求項１８に記載の方法。
【請求項２２】
前記複数のシンボルの終端を示すために、前記複数のシンボルのうちの最後のシンボルを、前記最後のシンボルの前のシンボルに対して反転させることをさらに含む、請求項２１に記載の方法。
【請求項２３】
前記時間領域シーケンスを複数の受信機装置に放送することをさらに含む、請求項１４に記載の方法。
【請求項２４】
プログラム命令を記憶するメモリと、
プロセッサと、を備える送信装置であって、
前記プロセッサは、前記プログラム命令を実行すると、
受信機装置に対して通信すべきサービスタイプまたはサービスモードに対応するメジャーバージョン数を前記受信機装置に信号伝達するために選択されたルートインデックス値に基づいて定振幅ゼロ自己相関特性シーケンスを生成し、
前記メジャーバージョン数の範囲内のマイナーバージョン数を前記受信機装置に信号伝達するために選択されたシード値に基づいて疑似ノイズシーケンスを生成し、
前記疑似ノイズシーケンスにより前記定振幅ゼロ自己相関特性シーケンスを変調して複合シーケンスを生成し、
前記複合シーケンスを複数の副搬送波にマッピングし、
前記マッピングされた複合シーケンスを時間領域シーケンスに変換するように構成される、
送信装置。
【請求項２５】
前記複合シーケンスをマッピングするために、前記プロセッサは、前記プログラム命令を実行すると、さらに、
ＤＣ副搬送波にマッピングする前記複合シーケンスの値をゼロに設定するように構成される、請求項２４に記載の送信装置。
【請求項２６】
前記プロセッサは、前記プログラム命令を実行すると、さらに、
シフトされた時間領域シーケンスを獲得するために、循環シフトを前記時間領域シーケンスに適用するように構成され、
前記シフトされた時間領域シーケンスは複数のシンボルのうちの１つのシンボルであり、前記循環シフトは、前のシンボルの絶対循環シフトと、前記１つのシンボルの相対循環シフトとに基づいて生成される、請求項２４に記載の送信装置。
【請求項２７】
前記循環シフトを適用するために、前記プロセッサは、前記プログラム命令を実行すると、さらに、
前記循環シフトの適用する前に前記相対循環シフトおよび前記絶対循環シフトを追加するように構成される、請求項２６に記載の送信装置。
【請求項２８】
前記プロセッサは、前記プログラム命令を実行すると、さらに、
前記複数のシンボルの終端を示すために、前記複数のシンボルのうちの最後のシンボルを、前記最後のシンボルの前のシンボルに対して反転させるように構成される、請求項２６に記載の送信装置。
【請求項２９】
前記プロセッサは、前記プログラム命令を実行すると、さらに、前記シフトされた時間領域シーケンスを前記受信機装置に送信するように構成され、前記シフトされた時間領域シーケンスの前記循環シフトは通信情報を表す、請求項２６に記載の送信装置。
【請求項３０】
前記疑似ノイズシーケンスにより前記定振幅ゼロ自己相関特性シーケンスを変調することで、前記プロセッサは、高ノイズ条件において前記受信機装置が前記シフトされた時間領域シーケンスを発見することを可能にする前記シフトされた時間領域シーケンスを生成するように構成される、請求項２９に記載の送信装置。
【請求項３１】
前記プロセッサは、前記プログラム命令を実行すると、さらに、前記時間領域シーケンスを複数の受信機装置に放送するように構成される、請求項２４に記載の送信装置。